(57)【要約】【課題】観光地等において複数箇所で自動撮影を行うフォトラリーを、利用者が撮影ポイントの探索を楽しめるように行わせると共に、ラリー終了後に撮影画像を提供する。【解決手段】本発明による画像提供システムは、複数の撮影システムと、前記複数の撮影システムと通信可能に接続されたサーバとを備える。前記複数の撮影システムは、利用者を撮影し、撮影画像データと利用者を識別する識別情報とを前記サーバへ送信する。前記サーバは、前記複数の撮影システムから受信した前記撮影画像データの少なくとも一部を用いて前記利用者へ提供する画像を生成する。前記サーバは、前記撮影システムから前記撮影画像データを受信すると、前記利用者が次に向かう撮影システムの設置場所を示唆する撮影ポイント情報を、前記撮影画像データの送信元の撮影システムへ送信し、前記撮影システムは、前記撮影ポイント情報を表示する。【選択図】図１
2018097593.tif 000002
【特許請求の範囲】
【請求項１】
複数の撮影システムと、前記複数の撮影システムと通信可能に接続されたサーバとを備え、
前記複数の撮影システムは、利用者を撮影し、撮影画像データと利用者を識別する識別情報とを前記サーバへ送信し、
前記サーバは、前記複数の撮影システムから受信した前記撮影画像データの少なくとも一部を用いて前記利用者へ提供する画像を生成する画像提供システムであって、
前記サーバは、前記撮影システムから前記撮影画像データを受信すると、前記利用者が次に向かう撮影システムの設置場所を示唆する撮影ポイント情報を、前記撮影画像データの送信元の撮影システムへ送信し、
前記撮影システムは、前記撮影ポイント情報を表示することを特徴とする画像提供システム。
【請求項２】
前記サーバは、利用者毎に、撮影が済んでいる撮影ポイントの履歴を記録した撮影履歴情報を保存し、前記撮影履歴情報を用いて、利用者が次に向かう撮影システムを決定することを特徴とする請求項１に記載の画像提供システム。
【請求項３】
前記サーバは、前記撮影履歴情報を参照し、利用者が撮影を行っていない撮影ポイントから、所定の順序に基づいて、利用者が次に向かう撮影システムを決定することを特徴とする請求項２に記載の画像提供システム。
【請求項４】
前記サーバは、マップ上に前記撮影ポイント情報を表示した次ポイント指示マップを作成し、前記次ポイント指示マップを前記撮影システムへ送信することを特徴とする請求項１乃至３のいずれかに記載の画像提供システム。
【請求項５】
前記サーバは、前記複数の撮影システムから受信した前記撮影画像データの少なくとも一部と、前記撮影画像データを送信してきた前記撮影システムの数に応じたテンプレート画像とを合成して、前記利用者へ提供する画像を生成することを特徴とする請求項１乃至４のいずれかに記載の画像提供システム。
【請求項６】
前記サーバは、前記複数の撮影システムから受信した前記撮影画像データの少なくとも一部と、全ての撮影システムから撮影画像データを受信するまでに要した時間に応じたテンプレート画像とを合成して、前記利用者へ提供する画像を生成することを特徴とする請求項１乃至４のいずれかに記載の画像提供システム。
【請求項７】
前記サーバにより生成された前記利用者へ提供する画像をプリントして印画物を出力するプリンタをさらに備えることを特徴とする請求項１乃至６のいずれかに記載の画像提供システム。
【請求項８】
前記サーバは、前記利用者へ提供する画像を取得するためのＵＲＬを示す二次元コードを生成して出力することを特徴とする請求項１乃至７のいずれかに記載の画像提供システム。
【発明の詳細な説明】
【技術分野】
【０００１】
本発明は、観光地やテーマパーク等において様々な場所に設置された複数台の撮影装置で利用者を撮影し、撮影画像を利用者に提供する画像提供システムに関する。
【背景技術】
【０００２】
テーマパーク等では、スタッフが入園客を順に撮影し、プリントした写真をオリジナルの台紙に貼り付けて、入園客に販売するサービスが行われている。撮影自体は無料である場合、撮影を断ることは心理的に困難であり、望まずに撮影・プリントされた写真を提示され、購入を促されることがあった。
【０００３】
また、スタッフによる撮影は、面白味のないポーズや構図になりやすく、記念品になるような写真を作成することは困難であった。
【０００４】
特許文献１には、テーマパーク内に複数の自動撮影装置を設置し、顧客が自動撮影装置の設置場所毎で対価を支払い撮影を行うと、撮影画像データが画像出力センタ内のプリントシステムに送られて写真プリントが作製される画像撮影出力システムが開示されている。顧客は、画像出力センタの窓口で写真プリントを受け取ることができる。しかし、このような従来の画像撮影出力システムでは、顧客は単にテーマパーク内を移動して撮影を行うだけであり、面白味に欠けるものであった。
【先行技術文献】
【特許文献】
【０００５】
【特許文献１】特許第３９１３４５３号公報
【特許文献２】特開２０１２−２５２４０９号公報
【発明の概要】
【発明が解決しようとする課題】
【０００６】
本発明は、観光地等において複数箇所で自動撮影を行うフォトラリーを、利用者が撮影ポイントの探索を楽しめるように行わせると共に、ラリー終了後に撮影画像を提供する画像提供システムを提供することを課題とする。
【課題を解決するための手段】
【０００７】
本発明による画像提供システムは、複数の撮影システムと、前記複数の撮影システムと通信可能に接続されたサーバとを備え、前記複数の撮影システムは、利用者を撮影し、撮影画像データと利用者を識別する識別情報とを前記サーバへ送信し、前記サーバは、前記複数の撮影システムから受信した前記撮影画像データの少なくとも一部を用いて前記利用者へ提供する画像を生成する画像提供システムであって、前記サーバは、前記撮影システムから前記撮影画像データを受信すると、前記利用者が次に向かう撮影システムの設置場所を示唆する撮影ポイント情報を、前記撮影画像データの送信元の撮影システムへ送信し、前記撮影システムは、前記撮影ポイント情報を表示するものである。
【０００８】
本発明の一態様では、前記サーバは、利用者毎に、撮影が済んでいる撮影ポイントの履歴を記録した撮影履歴情報を保存し、前記撮影履歴情報を用いて、利用者が次に向かう撮影システムを決定する。
【０００９】
本発明の一態様では、前記撮影履歴情報を参照し、利用者が撮影を行っていない撮影ポイントから、所定の順序に基づいて、利用者が次に向かう撮影システムを決定する。
【００１０】
本発明の一態様では、前記サーバは、マップ上に前記撮影ポイント情報を表示した次ポイント指示マップを作成し、前記次ポイント指示マップを前記撮影システムへ送信する。
【００１１】
本発明の一態様では、前記サーバは、前記複数の撮影システムから受信した前記撮影画像データの少なくとも一部と、前記撮影画像データを送信してきた前記撮影システムの数に応じたテンプレート画像とを合成して、前記利用者へ提供する画像を生成する。
【００１２】
本発明の一態様では、前記サーバは、前記複数の撮影システムから受信した前記撮影画像データの少なくとも一部と、全ての撮影システムから撮影画像データを受信するまでに要した時間に応じたテンプレート画像とを合成して、前記利用者へ提供する画像を生成する。
【００１３】
本発明の一態様では、前記サーバにより生成された前記利用者へ提供する画像をプリントして印画物を出力するプリンタをさらに備える。
【００１４】
本発明の一態様では、前記サーバは、前記利用者へ提供する画像を取得するためのＵＲＬを示す二次元コードを生成して出力する。
【発明の効果】
【００１５】
本発明によれば、観光地等において複数箇所で自動撮影を行うフォトラリーを、利用者が撮影ポイントの探索を楽しめるように行わせると共に、ラリー終了後に撮影画像を提供する。
【図面の簡単な説明】
【００１６】
【図１】本発明の実施形態に係る画像提供システムの設置例を示す図である。
【図２】同実施形態に係る画像提供システムのブロック構成図である。
【図３】（ａ）（ｂ）は指示するポーズの例を示す図である。
【図４】マップデータの例を示す図である。
【図５】撮影ポイント情報を説明する図である。
【図６】次ポイント指示マップの例を示す図である。
【図７】同実施形態に係る撮影システムの概略外観図である。
【図８】同実施形態に係る撮影システムのブロック構成図である。
【図９】同実施形態に係る画像プリント方法を説明するフローチャートである。
【図１０】次ポイント指示マップの別の例を示す図である。
【図１１】（ａ）〜（ｃ）は次ポイントを示唆する情報の表示例を示す図である。
【発明を実施するための形態】
【００１７】
以下、本発明の実施の形態を図面に基づいて説明する。
【００１８】
本実施形態に係る画像提供システムは、観光地やテーマパーク等に設置されるものであり、撮影システムを様々な場所に設置し、利用者は撮影システムの設置箇所（撮影ポイント）の探索を楽しみながら、各撮影ポイントで写真撮影するフォトラリーを行う。フォトラリー終了後、撮影した画像データをプリント出力して、利用者に提供する。
【００１９】
図１は画像提供システムをテーマパークに設置した例を示し、図２は画像提供システムのブロック構成を示す。画像提供システムは、サーバ１０、参加受付部２０、プリンタ３０、及び複数の撮影システム４０を備える。サーバ１０、参加受付部２０、及びプリンタ３０は、テーマパークの入退場ゲートがある管理センタ１に設けられる。撮影システム４０は、テーマパーク内の様々な場所に設置される。
【００２０】
例えば、テーマパークは、コンセプトの異なる複数のエリアに分けられており、各エリアに撮影システム４０が設置される。図１は、花畑エリアＡ１、動物エリアＡ２、博物館エリアＡ３、アトラクションエリアＡ４を有するテーマパークの例を示し、エリアＡ１〜Ａ４にそれぞれ撮影システム４０が設置される。
【００２１】
参加受付部２０は、利用者からフォトラリーの参加申請を受け付けると、利用者を一意に特定する識別情報を示す二次元コードがプリントされた参加証を発行する。利用者は、パーク内で撮影システム４０の読取機４４（図７、図８参照）に参加証をかざす。読取機４４が参加証の二次元コードを読み取ると、撮影システム４０は、カメラ４１（図７、図８参照）で利用者を撮影し、撮影画像データをサーバ１０へ送信する。
【００２２】
撮影システム４０は、撮影に際し、利用者に立ち位置やポーズを指示する。例えば、撮影システム４０は、図３（ａ）に示すようなポーズを作るように指示したり、図３（ｂ）に示すようにジャンプをするタイミングを指示したりする。撮影システム４０による指示のため、利用者は人目を気にせず恥ずかしがらずに様々なポーズをとることができる。
【００２３】
サーバ１０は、パーク内の複数の撮影システム４０から送信された撮影画像データを、利用者毎に保存する。また、サーバ１０は、撮影システム４０から撮影画像データを受信すると、利用者が次に向かうべき撮影ポイント（以下、“次ポイント”と記載する）を決定し、次ポイントを示唆する情報を生成し、撮影システム４０へ送信する。利用者は、撮影システム４０において次ポイントを示唆する情報を確認し、次ポイントの探索を楽しむ。
【００２４】
フォトラリー終了後、利用者はプリンタ３０に参加証をかざす。プリンタ３０に設けられたコード読取部が参加証の二次元コードを読み取り、識別情報をサーバ１０に通知する。サーバ１０は、複数の撮影システム４０で撮影された利用者の画像と、テンプレート画像とを合成し、プリント用画像を生成する。テンプレート画像は、撮影を行った場所の数（ラリーポイント数）に応じて変わってもよい。プリンタ３０は、プリント用画像を印画紙やシール台紙、マグカップ、バッヂ等にプリントして印画物を作製する。
【００２５】
撮影システム４０により撮影された画像は、ユニークなポーズをしているものや、立ち位置が指示されることで背景とのバランスの良いものとなっている。また、カメラ４１が高い建物の上部等に設置されている場合は、利用者が三脚等を持参していても撮ることのできない特別な撮影角度の画像となる。このような画像をプリントすることで、利用者にとって記念品になるプリント物を作成することができる。
【００２６】
また、１つの撮影ポイントで撮影を行うと、次ポイントを示唆する情報が提示されるため、撮影ポイントの探索を楽しみながらテーマパーク内を巡り、フォトラリーを行うことができる。
【００２７】
次に、画像提供システムの各部の構成について説明する。図２に示すように、サーバ１０は、コード生成部１１、認証部１２、通信処理部１３、プリント画像生成部１４、次ポイント選択部１５、マップ作成部１６及び記憶部１７を有する。サーバ１０は、ＣＰＵ（Central  Processing  Unit）、ＲＡＭ（Random  Access  Memory）、通信モジュール、半導体メモリ等の補助記憶装置を備えるコンピュータで構成され、各機能はＣＰＵがプログラムを実行することで実現される。
【００２８】
コード生成部１１は、フォトラリーに参加する利用者を識別するための識別情報を生成し、識別情報を示す二次元コードを発行する。例えば、コード生成部１１は、乱数生成プログラムを用いて複数桁（例えば２０桁）の文字列からなる識別情報を生成する。生成された識別情報は、発行コードとして記憶部１７に格納される。
【００２９】
認証部１２は、撮影システム４０の読取機４４が二次元コードを読み取って取得した識別情報と、記憶部１７に保存されている発行コードとを比較し、正規の識別情報であるか判定する。
【００３０】
通信処理部１３は、参加受付部２０、プリンタ３０、各撮影システム４０との通信処理を行う。例えば、通信処理部１３は、参加受付部２０からフォトラリー参加申請を受け付けると、コード生成部１１により生成された二次元コードを参加受付部２０へ送信する。
【００３１】
通信処理部１３は、撮影システム４０が読み取った識別情報を受信すると、認証部１２による判定結果を撮影システム４０に送信する。通信処理部１３は撮影システム４０から撮影画像データを受信すると、撮影された利用者の識別情報と紐付けて記憶部１７に格納する。また、通信処理部１３は、撮影システム４０から撮影画像データを受信すると、後述する撮影履歴情報を更新する。
【００３２】
通信処理部１３は、後述するマップ作成部１６により作成された次ポイント指示マップを撮影システム４０へ送信する。
【００３３】
通信処理部１３は、プリンタ３０から識別情報を受信すると、プリント画像生成部１４が生成したプリント用画像データをプリンタ３０へ送信する。
【００３４】
プリント画像生成部１４は、通信処理部１３がプリンタ３０から受信した識別情報に対応する撮影画像データを記憶部１７から取り出し、テンプレート画像と合成して、利用者に提供するプリント用画像を生成する。記憶部１７には複数のテンプレート画像が格納されており、プリント画像生成部１４は、撮影を行った箇所の数（ラリーポイント数）や、ラリー所要時間に応じて、合成するテンプレート画像を選択してもよい。
【００３５】
記憶部１７には、さらにマップデータ、撮影ポイント情報及び撮影履歴情報が格納されている。マップデータは、テーマパークの概略マップのデータであり、例えば図４に示すように、区画されたエリアＡ１〜Ａ４を示す。
【００３６】
撮影ポイント情報は、各エリアにおける撮影システム４０の設置場所を示唆する情報である。図５は、エリアＡ１〜Ａ４の各々に設置された撮影システム４０の設置場所を示唆する情報の例である。
【００３７】
撮影履歴情報は、利用者毎に、撮影が済んでいる撮影ポイントの履歴を記録したものである。例えば、通信処理部１３は、撮影システム４０から撮影画像データを受信すると、この撮影システム４０の設置場所、及び撮影を行った利用者を確認し、撮影履歴情報を更新し、対応する撮影ポイントにフラグを立てる。
【００３８】
次ポイント選択部１５は、撮影履歴情報を参照し、次ポイント（利用者が次に向かうべき撮影ポイント）を選択する。次ポイント選択部１５は、利用者が撮影を行っていない撮影ポイントから、所定の順序に基づいて次ポイントを選択してもよいし、ランダムに次ポイントを選択してもよい。
【００３９】
マップ作成部１６は、マップデータと、次ポイント選択部により選択された次ポイントの撮影ポイント情報と、撮影履歴情報とを用いて、次ポイントを示唆する情報としての次ポイント指示マップを作成する。例えば、マップ作成部１６は、図６に示すように、次ポイントを示唆する情報をマップ上の該当エリアに重ねて表示すると共に、撮影済みのエリアに“済”マークを付して、次ポイント指示マップを作成する。
【００４０】
図７は撮影システム４０の概略外観図であり、図８は撮影システム４０の構成を示すブロック図である。撮影システム４０は、カメラ（撮影部）４１、タッチパネル４２、スピーカ４３、読取機４４、及び制御装置４５を備える。制御装置４５は、画像処理部４６、入力処理部４７、出力処理部４８及び通信部４９を有する。制御装置４５は、ＣＰＵ、ＲＡＭ、通信モジュール、補助記憶装置等を有するコンピュータによって構成され、制御装置４５の各機能は、ＣＰＵがプログラムを実行することで実現される。
【００４１】
カメラ４１は、例えばデジタルカメラであり、利用者を撮影して撮影画像データを生成する。図７では、タッチパネル４２の上にカメラ４１を設置した例を示しているが、カメラ４１の設置場所はこれに限定されず、建物の上部に設置して、利用者を上方から撮影するようにしてもよい。
【００４２】
画像処理部４６は、カメラ４１から撮影画像データを受け取り、利用者の顔の位置を検出したり、人数を算出したり、利用者の動作（例えば手を掲げる等のジェスチャ）を検出したりする。
【００４３】
タッチパネル４２は、次ポイント指示マップなど、利用者が視認可能な情報を表示する。出力処理部４８は、タッチパネル４２における情報表示に必要なデータ処理を行う。また、タッチパネル４２は、利用者の操作を検出する。入力処理部４７は、ユーザ操作に応じたデータ処理を行う。タッチパネル４２の代わりに、情報を表示するディスプレイと、利用者の操作を受け付ける操作ボタン等を設けてもよい。
【００４４】
スピーカ４３は、音声案内等を出力する。出力処理部４８は、スピーカ４３が発する音声を生成するためのデータ処理を行う。
【００４５】
読取機４４は、利用者が所持する参加証に印字された二次元コードを読み取り、識別情報を取得する。
【００４６】
利用者に提示された参加証の二次元コードを読取機４４が読み取り、識別情報を取得すると、通信部４９は、サーバ１０へ識別情報を通知し、正規の識別情報であるか否か判定結果を受け取る。
【００４７】
正規の識別情報でない場合、撮影システム４０は「コードが違うようです」という音声を出力したり、タッチパネル４２に文字で表示したりする。正規の識別情報である場合、撮影システム４０は撮影処理を行う。
【００４８】
撮影システム４０は、「写真を撮ります」という音声を出力し、カメラ４１で利用者を撮影する。撮影システム４０は、撮影画像の解析を行い、利用者の位置を検出し、「もう少し後ろに立って下さい」などの音声を出力して、利用者の立ち位置を調整する。これにより、背景とのバランスのよい画像を撮影することができる。
【００４９】
撮影システム４０は、「合図にあわせてジャンプしてください」などの音声を出力し、ポーズの指示を行うと共に、ポーズの見本をタッチパネル４２に表示する。
【００５０】
カメラ４１が高所などの離れた位置に設置されている場合、撮影システム４０は、音声やタッチパネル４２の表示等によりカメラ４１の位置をユーザに教え、カメラ４１の方を向くように指示する。
【００５１】
撮影システム４０は、カメラ４１で撮影した画像をタッチパネル４２に表示して、撮り直しを行うか利用者に確認するようにしてもよい。撮影システム４０は、利用者の識別情報と共に撮影画像データをサーバ１０へ送信する。撮影システム４０は、サーバ１０から次ポイント指示マップを受信して表示する。このように、利用者は、撮影システム４０の設置場所にて写真撮影を行い、その後、次ポイント指示マップから次の撮影ポイントのヒントを得て、次ポイントの探索を開始する。
【００５２】
次に、本実施形態による画像提供システムを用いた画像プリント方法を図９に示すフローチャートを用いて説明する。
【００５３】
利用者は、管理センタ１の参加受付部２０でフォトラリーの参加申請を行い、発行された参加証を受け取る（ステップＳ１）。参加証には、フォトラリーに参加する利用者を識別する識別情報を示す二次元コードが印刷されている。フォトラリーの出発時に、利用者には、最初の撮影ポイントを示唆する情報が与えられる。
【００５４】
利用者は、与えられた情報から撮影ポイントの探索を行い、撮影システム４０を見つけたら、参加証の二次元コードを読み取らせる（ステップＳ２）。撮影システム４０は、読取機４４を用いて二次元コードから識別情報を取得し、正規の識別情報であるか否かサーバ１０に問い合わせる。
【００５５】
撮影システム４０は、カメラ４１を用いて利用者を撮影する（ステップＳ３）。撮影システム４０は、撮影にあたり、利用者に立ち位置やポーズを指導する。撮影システム４０は識別情報と共に撮影画像データをサーバ１０へ送信する（ステップＳ４）。サーバ１０は、撮影画像データを識別情報と対応付けて保存する。また、サーバ１０は、撮影履歴情報を確認し、全ての撮影ポイントでの撮影を終えているか否か判定する。
【００５６】
未だ撮影を行っていない撮影ポイントがある場合（ステップＳ５＿Ｎｏ）、サーバ１０は次ポイント指示マップを作成し、撮影システム４０へ送信する（ステップＳ６）。撮影システム４０は、サーバ１０から受信した次ポイント指示マップをタッチパネル４２に表示する（ステップＳ７）。利用者は、表示された次ポイント指示マップを確認し、次の撮影ポイントの探索を行う。
【００５７】
利用者は、フォトラリーを終了すると（ステップＳ５＿Ｙｅｓ）、管理センタ１に戻り、プリンタ３０に備え付けられたコード読取機（図示略）に参加証をかざし、二次元コードを読み取らせる（ステップＳ８）。なお、コード読取機はプリンタ３０に備え付けである必要はなく、フォトラリーの終了地点に設けられていればよい。
【００５８】
プリンタ３０は、読み取った識別情報をサーバ１０に送信する。サーバ１０は、プリンタ３０から識別情報を受信すると、利用者がフォトラリーを終了したと判断し、識別情報に対応する複数の撮影画像データを記憶部１７から取り出し、テンプレート画像と合成してプリント用画像を生成する（ステップＳ９）。サーバ１０は、プリント用画像データをプリンタ３０へ送信する。
【００５９】
プリンタ３０は、サーバ１０から受信したプリント用画像データを印画紙にプリントして出力する（ステップＳ１０）。
【００６０】
このように、本実施形態によれば、利用者は、様々な場所を巡って写真撮影するフォトラリーを行い、ラリー終了後に、撮影画像がプリントされたプリント物を取得することができる。撮影を行う度に、次の撮影ポイントを示唆する次ポイント指示マップが表示され、利用者はヒントをもとに撮影ポイントの探索を楽しむことができる。
【００６１】
また、本実施形態によれば、撮影システム４０によりポーズや立ち位置が指示されるため、構図の良い写真となる。また、スタッフ等の人間により撮影が行われる場合、人目を気にして無難なポーズになりがちであるが、本実施形態では撮影システム４０がポーズ指導や撮影等を行うため、利用者は恥ずかしがらずにユニークなポーズをとることができる。また、カメラ４１により特別な角度から撮影を行うことができる。このような画像がプリントされたプリント物は、利用者にとって記念品になる。
【００６２】
フォトラリー終了後にプリント出力する撮影画像を利用者が選択できるようにしてもよい。フォトラリー終了後、利用者はコード読取機に参加証をかざし、二次元コードを読み取らせる。サーバ１０がこの利用者の撮影画像データを記憶部１７から取り出し、コード読取機の近傍に設置されたディスプレイに撮影画像データを選択可能に表示する。利用者がディスプレイに表示された撮影画像データを選択すると、サーバ１０は、選択された画像と、テンプレート画像とを合成してプリント用画像を生成する。
【００６３】
撮影画像だけでなくテンプレート画像も選択できるようにしてもよい。ラリーポイント数（撮影画像データを送ってきた撮影システム４０の数）や、フォトラリーを開始してから全ての撮影ポイントで撮影を行うまでに要した時間等に応じて、選択できるテンプレート画像の種類を変更してもよい。
【００６４】
フォトラリー参加申請時に、参加する利用者の関係性を登録するようにしてもよい。利用者の関係性とは、例えば、ファミリー、友達、カップル等である。撮影システム４０が、利用者から提示された参加証の二次元コードを読み取り、識別情報をサーバ１０に問い合わせると、サーバ１０が、認証結果と共に、登録された利用者の関係性を撮影システム４０に通知する。撮影システム４０は、写真撮影時に指示する複数種のポーズのデータを記憶部に格納しており、利用者の関係性に応じて好適なポーズを選択して指示する。
【００６５】
上記実施形態では、撮影システム４０の読取機４４で参加証の二次元コードを読み取り、識別情報を取得することで利用者を特定していたが、カメラ４１が二次元コードの読み取りを行ってもよい。また、参加申請時に利用者の顔画像を撮影してサーバ１０に顔画像を保存し、撮影システム４０がカメラ４１で撮影した顔画像を用いて顔認証を行い、利用者を特定してもよい。また、識別情報を格納したＲＦタグを利用者に配布し、読取機４４がＲＦタグから識別情報を読み取るようにしてもよい。
【００６６】
上記実施形態では、管理センタ１でフォトラリーの参加申請を行う例について説明したが、パーク内を周っている時にフォトラリーに参加できるようにしてもよい。例えば、参加証を封入したカプセルを販売するカプセル販売機をパーク内に設置する。カプセル内の参加証に印字された二次元コードが示す識別情報は、発行コードとしてサーバ１０の記憶部１７に格納されている。
【００６７】
利用者は、カプセル販売機でカプセルを購入し、カプセルから参加証を取り出すと、近くの撮影システム４０の読取機４４にかざす。撮影システム４０は、参加証の二次元コードを読み取り、識別情報をサーバ１０に通知する。サーバ１０は、通知された識別情報と記憶部１７内の発行コードとを照合し、フォトラリーの参加（途中参加）を受け付ける。これにより、テーマパーク入場後、フォトラリーの様子を見て興味を持った利用者が、フォトラリーに簡単に参加することができる。
【００６８】
フォトラリー終了後、プリント物を出力する代わりに、又はプリント物の出力と共に、撮影画像データを利用者に提供できるようにしてもよい。例えば、サーバ１０が、画像データダウンロードサイトのＵＲＬを示す二次元コードを生成し、プリンタ３０が、この二次元コードをプリント出力する。また、この二次元コードをディスプレイに表示し、利用者が携帯端末で読み取り、画像データをダウンロードするものでもよい。撮影システム４０のカメラ４１で動画を撮影し、動画データをダウンロードできるようにしてもよい。
【００６９】
フォトラリーの参加証には有効期限が設定されていてもよい。例えば、参加申請を行った当日のみフォトラリーを行うことができるようにする。参加申請を受け付けると、サーバ１０は、発行コード内の識別情報に、参加日情報を紐付けて登録する。サーバ１０は、撮影システム４０から通知された識別情報を用いて記憶部１７を検索し、この識別情報に紐付けられた参加日情報が当日を示すものであるか否か判定する。参加日情報が過去の日であった場合、サーバ１０は、エラーであることを撮影システム４０に通知する。これにより、過去に使用した参加証が再利用されることを防止できる。
【００７０】
撮影ポイントは１つのエリアに複数あってもよいし、撮影ポイントの無いエリアがあってもよい。また、撮影システムが設置されるテーマパーク等は、複数エリアに分かれていなくてもよい。
【００７１】
利用者に提示する次ポイント指示マップは、図６に示すように区画されたエリアを示すものに限定されず、図１０に示すように大まかな位置を示すものであってもよい。また、次ポイントを示唆する情報はマップ形式でなくてもよく、図１１（ａ）に示すような双六形式、図１１（ｂ）に示すようなビンゴ形式、図１１（ｃ）に示すような花形状のようにして、よりゲーム性を高めるようにしてもよい。
【００７２】
撮影ポイント以外にディスプレイ及び読取機を設け、読取機に参加証をかざすことで次ポイント指示マップを表示したり、追加のヒントを表示したりしてもよい。
【００７３】
利用者が所持するスマートフォン等の携帯端末に、次ポイント指示マップ等の次ポイントを示唆する情報を転送し、表示するようにしてもよい。
【００７４】
次ポイント選択部１５は、テーマパーク内の混雑状況に応じて、空いているエリアの撮影ポイントを次ポイントとして選択してもよい。また、利用者が次に向かうエリアを選択すると、撮影ポイント情報が表示されるようにしてもよい。
【００７５】
ビーコンを用いて、利用者が撮影ポイントに近付くと、利用者が所持する携帯端末が振動したり、音を発したりするようにしてもよい。
【００７６】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【符号の説明】
【００７７】
１  管理センタ
１０  サーバ
１１  コード生成部
１２  認証部
１３  通信処理部
１４  プリント画像生成部
１５  次ポイント選択部
１６  マップ作成部
１７  記憶部
２０  参加受付部
３０  プリンタ
４０  撮影システム
４１  カメラ
４２  タッチパネル
４３  スピーカ
４４  読取機
４５  制御装置
４６  画像処理部
４７  入力処理部
４８  出力処理部
４９  通信部
【図１】
2018097593.tif 000003
【図２】
2018097593.tif 000004
【図３】
2018097593.tif 000005
【図４】
2018097593.tif 000006
【図５】
2018097593.tif 000007
【図６】
2018097593.tif 000008
【図７】
2018097593.tif 000009
【図８】
2018097593.tif 000010
【図９】
2018097593.tif 000011
【図１０】
2018097593.tif 000012
【図１１】
2018097593.tif 000013